(57)【要約】【課題】吸収性物品の一部として、高拡散高透過性吸収シートを用いることにより、高吸収性ポリマーの吸収効果を十分に発揮させ、液戻り、ベタツキ、漏れの低減を図る。【解決手段】高拡散高透過性吸収シート２と高吸収性ポリマー１とを備えた吸収性物品において、前記高拡散高透過性吸収シート２を、少なくとも熱溶融性接着繊維を含む乾式不織布により構成するとともに、前記高拡散高透過性吸収シート２に対して前記高吸収性ポリマー１を熱融着により固着させるようにして、体液が高拡散高透過性吸収シート２において素早く拡散して、高吸収性ポリマー１へスムーズに受け渡され、吸収性物品内に体液を封じ込めることができるようにしている。【選択図】　　　　図１
2004025637.tif 000002
【特許請求の範囲】
【請求項１】
高拡散高透過性吸収シートと高吸収性ポリマーとを備え、前記高拡散高透過性吸収シートを、少なくとも熱溶融性接着繊維を含む乾式不織布により構成するとともに、前記高拡散高透過性吸収シートに対して前記高吸収性ポリマーを熱融着により固着させたことを特徴とする吸収性物品。
【請求項２】
前記乾式不織布に、所定量の嵩高性の親水性繊維と所定量の親水性微細繊維を混合させたことを特徴とする前記請求項１記載の吸収性物品。
【請求項３】
前記高吸収性ポリマーを、２枚の高拡散高透過性吸収シートの間に挟持したことを特徴とする前記請求項１および２のいずれか一項記載の吸収性物品。
【発明の詳細な説明】
【０００１】
【発明の属する技術分野】
本願発明は、生理用品、使い捨ておむつ等の吸収体コアとして使用される吸収性物品に関するものである。
【０００２】
【従来の技術】
生理用品や使い捨ておむつ等の吸収体コアとして使用される吸収性物品においては、体液の吸収性の向上（例えば、吸収速度の向上、吸収体コアから表面への液戻りの阻止、漏れ防止、ベタツキの低減等）が重要な課題とされている。
【０００３】
上記課題を解決すべく、現在使用されている吸収体コアは、吸収速度が速いパルプと体液保持能力が高い高吸水性ポリマーとからなる吸収体を液透過性の表面シートによって被包して構成されている。
【０００４】
【発明が解決しようとする課題】
ところが、パルプは、吸収速度は速いものの、吸収性物品全体を効率よく利用するための拡散性に劣るとともに、湿潤時の強度低下が著しいため、体液を吸収したパルプが圧縮変形すると、一旦吸収した体液が容易に戻ってしまうという不具合が発生するおそれがある。また、パルプの圧縮変形に伴ってパルプ繊維間の空間が減少すると、高吸収性ポリマーへの体液の移動抵抗が増大することとなり、高吸収性ポリマーの吸収効率を低下させるとともに、漏れ現象を引き起こすおそれがある。
【０００５】
本願発明は、上記の点に鑑みてなされたもので、吸収性物品の一部として、高拡散高透過性吸収シートを用いることにより、高吸収性ポリマーの吸収効果を十分に発揮させ、液戻り、ベタツキ、漏れの低減を図ることを目的とするものである。
【０００６】
【課題を解決するための手段】
請求項１の発明では、上記課題を解決するための手段として、高拡散高透過性吸収シートと高吸収性ポリマーとを備えた吸収性物品において、前記高拡散高透過性吸収シートを、少なくとも熱溶融性接着繊維を含む乾式不織布により構成するとともに、前記高拡散高透過性吸収シートに対して前記高吸収性ポリマーを熱融着により固着させるようにしている。
【０００７】
上記のように構成したことにより、体液が高拡散高透過性吸収シートにおいて素早く拡散して、高吸収性ポリマーへスムーズに受け渡されることとなり、吸収性物品内に体液を封じ込めることができる。つまり、高拡散高透過性吸収シートと高吸収性ポリマーとを併用することにより、高吸収性ポリマーの吸収効率を最大限に発揮させることができることとなるのである。その結果、極めて高い液保持性が得られるところから、表面への液戻りがなく、高吸収で漏れのないものとなる。また、高拡散高透過性吸収シートに対して高吸収性ポリマーが熱融着により固着されることとなっているので、乾式不織布からなる高拡散高透過性吸収シートへの高吸収性ポリマーの固着が確実に得られる。
【０００８】
請求項２の発明におけるように、請求項１記載の吸収性物品において、前記乾式不織布に、所定量の嵩高性の親水性繊維と所定量の親水性微細繊維を混合させた場合、低密度で嵩高であり且つある程度透過性が高く、しかも拡散性に優れた高拡散高透過性吸収シートが得られることとなり、高拡散高透過性吸収シートから高吸収性ポリマーへの体液の受け渡しがよりスムーズに行える。
【０００９】
請求項３の発明におけるように、請求項１および２のいずれか一項記載の吸収性物品において、前記高吸収性ポリマーを、２枚の高拡散高透過性吸収シートの間に挟持した場合、高拡散高透過性吸収シートに高吸収性ポリマーを固着させる際のこぼれを防止することができることとなり、歩留まりが向上する。
【００１０】
【発明の実施の形態】
以下、添付の図面を参照して、本願発明の幾つかの好適な実施の形態について詳述する。
【００１１】
第１の実施の形態
図１には、本願発明の第１の実施の形態にかかる吸収性物品の具体例である生理用ナプキンが示されている。
【００１２】
この吸収性物品（即ち、生理用ナプキン）は、図１に示すように、高吸収性ポリマー１を一対の高拡散高透過性吸収シート２，２の間に挟持した状態で熱融着により固着してなる吸収体コア３を嵩高高透過性シート４で被包して吸収体Ａを構成し、該吸収体Ａを液不透過性の防漏材であるポリラミ防水紙５で巻き上げ、その外側を液透過性の表面シート６で被包して構成されている。前記ポリラミ防水紙５は、吸収体Ａの下面、側面および上面両側縁部を覆うように巻き上げられる。符号７は剥離紙、８はズレ止めテープ、９は固定用接着剤である。
【００１３】
上記高吸収性ポリマー１としては、例えば、ポリアクリル酸ナトリウム（アクリル酸ービニルアルコール）共重合体、ポリアクリル酸ナトリウム架橋体、（でんぷんーアクリル酸）グラフト共重合体、（イソブチレンー無水マレイン酸）共重合体およびその鹸化物、ポリアスパラギン酸等、従来から知られている各種のものを用いることができ、これらは一種を単独で用いても良いし、複数種類のポリマーを任意の割合で混合して用いても良い。
【００１４】
上記高拡散高透過性吸収シート２としては、少なくとも熱溶融性接着繊維を含むものであって、嵩高性の親水性繊維；２０〜８０重量部、親水性微細繊維；８０〜２０重量部、熱溶融性接着繊維；３０重量部以下を混合して抄紙した乾式不織布が用いられる。
【００１５】
前記嵩高性の親水性繊維としては、繊維の立体構造が嵩高性を有するものが用いられる。このような繊維として、例えば、パルプ、綿、レーヨン等に代表されるセルロース繊維や、アクリルニトリル、ポリビニルアルコール等の親水性合成繊維等が挙げられ、これらは一種を単独で用いても良いし、複数種類を混合して用いても良い。この嵩高性の親水性繊維の混入率は、２０〜８０重量部が好ましく、より好ましくは３０〜７０重量部である。嵩高性の親水性繊維が２０重量部未満では、目的とする嵩高のシートが得られず、逆に８０重量部を超えると拡散性が不足することとなるからである。
【００１６】
前記親水性微細繊維としては、繊維表面が親水性であり、表面積が大きい繊維が用いられる。このような繊維として、例えば、パルプ、綿、レーヨン等に代表されるセルロース繊維や、アクリルニトリル、ポリビニルアルコール等の親水性合成繊維等が挙げられ、これらは一種を単独で用いても良いし、複数種類を混合して用いても良い。この親水性微細繊維の混入率は、８０〜２０重量部が好ましく、より好ましくは７０〜３０重量部である。親水性微細繊維が２０重量部未満では、目的とする拡散性が得られず、逆に８０重量部を超えると、繊維間距離が短くなり過ぎ、透過性が悪くなってしまうからである。
【００１７】
前記熱溶融性接着繊維としては、加熱することにより、繊維が溶融し、相互に接着する繊維が用いられる。このような繊維として、例えば、ポリエチレン、ポリプロピレン、ポリエステルおよびポリビニルアルコール等のオレフィン繊維、ポリエチレンーポリプロピレン複合繊維、ポリエチレンーポリエステル複合繊維、低融点ポリエステルーポリエステル複合繊維および繊維表面が親水性であるポリビニルアルコールーポリプロピレン複合繊維、ポリビニルアルコールーポリエステル複合繊維が挙げられる。この熱溶融性接着繊維の混入率は、３０重量部以下とされ、好ましくは２〜２０重量部である。熱溶融性接着繊維が３０重量部を超えると、高拡散高透過性吸収シート２の吸収性および拡散性が低下してしまうからである。
【００１８】
上記のように構成したことにより、体液が高拡散高透過性吸収シート２において素早く拡散して、高吸収性ポリマー１へスムーズに受け渡されることとなり、吸収性物品内に体液を封じ込めることができる。つまり、高拡散高透過性吸収シート２と高吸収性ポリマー１とを併用することにより、高吸収性ポリマー１の吸収効率を最大限に発揮させることができることとなるのである。その結果、極めて高い液保持性が得られるところから、表面への液戻りがなく、高吸収で漏れのないものとなる。また、高拡散高透過性吸収シート２に対して高吸収性ポリマー１が熱融着により固着されることとなっているので、乾式不織布からなる高拡散高透過性吸収シート２への高吸収性ポリマー１の固着が確実に得られる。
【００１９】
また、本実施の形態においては、高拡散高透過性吸収シート２を構成する乾式不織布を、所定量（例えば、３０重量部以下）の熱溶融繊維接着繊維と所定量（例えば、２０〜８０重量部）の嵩高性の親水性繊維と所定量（例えば、８０〜２０重量部）の親水性微細繊維を混合させたものを抄紙して得られるものとしているので、低密度で嵩高であり且つある程度透過性が高く、しかも拡散性に優れた高拡散高透過性吸収シート２が得られることとなり、高拡散高透過性吸収シート２から高吸収性ポリマー１への体液の受け渡しがよりスムーズに行えることとなる。
【００２０】
また、本実施の形態においては、高吸収性ポリマー１を、２枚の高拡散高透過性吸収シート２，２の間に挟持するようにしているため、高拡散高透過性吸収シート２に高吸収性ポリマー１を固着させる際のこぼれを防止することができ、歩留まりが向上する。
【００２１】
第２の実施の形態
図２には、本願発明の第２の実施の形態にかかる吸収性物品の具体例である生理用ナプキンが示されている。
【００２２】
この場合、吸収体コア３の上層に、高吸収性ポリマー１を挟持している高拡散高透過性吸収シート２，２とは組成の異なる２枚の高拡散高透過性吸収シート２′，２′を重ね、これを嵩高高透過性シート４で被包して吸収体Ａを構成している。このようにすると、吸収体コア３の上層に重ねられた高拡散高透過性吸収シート２′，２′の存在により、体液がより素早く拡散せしめられることとなり、高吸収性ポリマー１へより一層スムーズに受け渡されることとなる。その他の構成および作用効果は、第１の実施の形態におけると同様なので説明を省略する。
【００２３】
第３の実施の形態
図３には、本願発明の第３の実施の形態にかかる吸収性物品の具体例である生理用ナプキンが示されている。
【００２４】
この場合、吸収体コア３は、上層に位置する高拡散高透過性吸収シート２と下層に位置する他のシート部材１０（例えば、一般的な吸収シート）との間に高吸収性ポリマー１を挟持し、この状態で高拡散高透過性吸収シート２に高吸収性ポリマー１を熱融着により固着することにより構成されている。また、この吸収体コア３の上層には、高拡散高透過性吸収シート２以外の部材１１（例えば、一般的な吸収部材）が配置されている。さらに、この場合、吸収体Ａは、吸収体コア３およびその上層に配置された吸収部材１１を防漏材として作用するポリラミ防水紙５で巻き上げて構成されている。即ち、嵩高高透過性シート４は省略されている。このようにしても、体液が高拡散高透過性吸収シート２において素早く拡散して、高吸収性ポリマー１へスムーズに受け渡されることとなり、吸収性物品内に体液を封じ込めることができる。つまり、高拡散高透過性吸収シート２が高吸収性ポリマー１の上層に位置するようにして吸収体コア３を構成すれば、所期の目的を達成できるのである。その他の構成は、第１の実施の形態におけると同様なので説明を省略する。
【００２５】
上記各実施の形態においては、吸収性物品の具体例である生理用ナプキンについて説明したが、本願発明は、使い捨ておむつや失禁者用パッドにも適用可能なことは勿論である。
【００２６】
【発明の効果】
請求項１の発明によれば、高拡散高透過性吸収シートと高吸収性ポリマーとを備えた吸収性物品において、前記高拡散高透過性吸収シートを、少なくとも熱溶融性接着繊維を含む乾式不織布により構成するとともに、前記高拡散高透過性吸収シートに対して前記高吸収性ポリマーを熱融着により固着させるようにして、体液が高拡散高透過性吸収シートにおいて素早く拡散して、高吸収性ポリマーへスムーズに受け渡され、吸収性物品内に体液を封じ込めることができるようにしたので、高拡散高透過性吸収シートと高吸収性ポリマーとを併用することにより、高吸収性ポリマーの吸収効率を最大限に発揮させることができることとなり、極めて高い液保持性が得られるところから、表面への液戻りがなく、高吸収で漏れのないものとなるという効果がある。また、高拡散高透過性吸収シートに対して高吸収性ポリマーが熱融着により固着されることとなっているので、乾式不織布からなる高拡散高透過性吸収シートへの高吸収性ポリマーの固着が確実に得られるという効果もある。
【００２７】
請求項２の発明におけるように、請求項１記載の吸収性物品において、前記乾式不織布に、所定量の嵩高性の親水性繊維と所定量の親水性微細繊維を混合させた場合、低密度で嵩高であり且つある程度透過性が高く、しかも拡散性に優れた高拡散高透過性吸収シートが得られることとなり、高拡散高透過性吸収シートから高吸収性ポリマーへの体液の受け渡しがよりスムーズに行える。
【００２８】
請求項３の発明におけるように、請求項１および２のいずれか一項記載の吸収性物品において、前記高吸収性ポリマーを、２枚の高拡散高透過性吸収シートの間に挟持した場合、高拡散高透過性吸収シートに高吸収性ポリマーを固着させる際のこぼれを防止することができることとなり、歩留まりが向上する。
【図面の簡単な説明】
【図１】本願発明の第１の実施の形態にかかる吸収性物品の具体例である生理用ナプキンの縦断面図である。
【図２】本願発明の第２の実施の形態にかかる吸収性物品の具体例である生理用ナプキンの縦断面図である。
【図３】本願発明の第３の実施の形態にかかる吸収性物品の具体例である生理用ナプキンの縦断面図である。
【符号の説明】
１は高吸収性ポリマー、２は高拡散高透過性吸収シート、３は吸収体コア、Ａは吸収体。
【図１】
2004025637.tif 000003
【図２】
2004025637.tif 000004
【図３】
2004025637.tif 000005